(57)【要約】【課題】単純な構造で、レンズの損傷を防止することができるレンズ収納ケースを提供すること。【解決手段】フランジ部１２を有し、フランジ部の上縁に面取り１２ａを施し、さらに、フランジ部の周面の一部にゲートカット部１２ｂを形成したレンズ１０を一列または複数列に収納するレンズ収納ケース２０であって、フランジ部を収容するレンズ収納空間２３を画成する側壁と上壁との会合部に、フランジの面取りに対応する大きさの隅肉部２４を形成し、隅肉部にゲートカット部の上縁を当接させることによって、レンズの側壁方向への移動量を規制する。【選択図】図４
2013173549.tif 000002
【特許請求の範囲】
【請求項１】
フランジ部を有し、前記フランジ部の上縁に面取りを施し、さらに、前記フランジ部の周面の一部にゲートカット部を形成したレンズを一列以上に配列して収納するレンズ収納ケースであって、
レンズ収納空間のうち前記フランジ部を収容する空間部分を画成する側壁と上壁との会合部に形成され、前記レンズの配列方向に垂直な断面において前記フランジの面取りに対応する大きさを有する隅肉部を備え、
前記隅肉部に前記ゲートカット部の上縁を当接させることによって、前記レンズの配列方向に垂直な方向に関する前記レンズの移動量を規制した
ことを特徴とするレンズ収納ケース。
【請求項２】
前記隅肉部の大きさを、前記レンズの面取りの大きさ以下にしたことを特徴とする請求項１に記載のレンズ収納ケース。
【請求項３】
前記隅肉部の形状及び大きさを、前記レンズのフランジに形成した面取りと略同一にしたことを特徴とする請求項２に記載のレンズ収納ケース。
【発明の詳細な説明】
【技術分野】
【０００１】
本発明は、レンズを例えば保管し或いは他のラインへ移送する際に使用されるレンズ収納ケースに関するもので、特に、光ピックアップレンズ等の射出成形によって成形されたレンズに適したレンズ収納ケースに関する。
【背景技術】
【０００２】
例えば、レーザディスク等の記録・再生に使用される光ピックアップ装置用の小型軽量樹脂レンズは、レンズの主部である光学機能部と、レンズを機器等に設置するためのフランジ部とを備えており、それらの光学機能部とフランジ部は、射出形成によって一体に成形される。かかるフランジ部には、切り欠き状のゲートカット部が形成されることが多い。
【０００３】
この種のレンズを収容するためのレンズ収納ケースの一例として、樹脂によって長尺に形成され、その長手方向に延びるレンズ収納空間が形成されるものがある（例えば、特許文献１，２）。
【０００４】
このようなレンズを上記のようなケースに一列に並べて収納すると、ゲートカット部がレンズ収納ケースの側壁に対向しない場合には、特に問題が生じないが、ゲートカット部がレンズ収納ケースの側壁に対向する場合には、レンズが側壁方向へ大きく移動する虞がある。その場合には、レンズの光学機能部の周面が側壁に接触し、それによって光学機能部の周面を損傷する虞がある。
【０００５】
また、上記のようにレンズが側壁方向に大きく移動した状態で、レンズがフランジ部下端縁を中心として上方に回転されると、反対側のフランジ部の上縁部が側壁エッジに食い込んでしまい、レンズをレンズ収納ケースから取り出すことが困難になる可能性がある。
【先行技術文献】
【特許文献】
【０００６】
【特許文献１】特開２０００−１０９１５８号公報
【特許文献２】特開２００３−１１４３０７号公報
【発明の概要】
【０００７】
本発明は、上記背景技術に鑑みてなされたものであり、レンズ収納ケースの一部の形状を変えることで、即ち、単純な構造で、レンズの損傷を防止することができるレンズ収納ケースを提供することを目的としている。
【課題を解決するための手段】
【０００８】
上記目的を達成するために、本発明に係るレンズ収納ケースは、フランジ部を有し、フランジ部の上縁に面取りを施し、さらに、フランジ部の周面の一部にゲートカット部を形成したレンズを一列以上配列して収納するレンズ収納ケースであって、レンズ収納空間のうちフランジ部を収容する空間部分を画成する側壁と上壁との会合部に形成され、レンズの配列方向に垂直な断面においてフランジの面取りに対応する大きさを有する隅肉部を備え、隅肉部にゲートカット部の上縁を当接させることによって、レンズの配列方向に垂直な方向に関するレンズの移動量を規制したことを特徴とする。
【０００９】
上記レンズ収納ケースによれば、レンズ収納空間の一部である空間部分で、レンズのフランジ部を案内する。レンズ収納ケースにレンズが装填された状態で、レンズのゲートカット部が上記空間部分の側壁に対向するような姿勢状態にレンズが位置した場合には、レンズがレンズ収納空間の側壁に方向に大きく移動してしまうことになるが、本発明のレンズ収納ケースでは、レンズのゲートカット部がケースの隅肉部に当接し、レンズの移動が規制される。したがって、レンズの光学機能部の周面がレンズ収納空間を画成する側壁に接触するのを回避したり、レンズのゲートカット部の反対側のフランジ上縁がレンズ収納空間を画成する側壁に食い込むのを防止することができる。
【００１０】
また、本発明に係るレンズ収納ケースでは、隅肉部の大きさを、レンズの面取りの大きさ以下にする。これにより、レンズのゲートカット部がレンズ収納空間の上記空間部分の側壁に対向しない姿勢状態にレンズが位置した場合には、レンズについてレンズ収納空間の側壁方向への必要な移動を確保することができる。
【００１１】
また、本発明に係るレンズ収納ケースでは、隅肉部の形状及び大きさを、レンズのフランジに形成した面取りと略同一にする。これにより、レンズについてレンズ収納空間の側壁方向への必要な移動を確保することができる。
【図面の簡単な説明】
【００１２】
【図１】第１実施形態のレンズ収納ケースの断面図であり、（Ａ）はその全体図、（Ｂ）は（Ａ）における円部Ａの拡大図である。
【図２】レンズをレンズ収納ケースに収納する状態を概念的に示した斜視図である。
【図３】レンズをレンズ収納ケースに収納した状態を概念的に示した断面平面図である。
【図４】第１実施形態のレンズ収納ケースの機能を説明する断面図であり、（Ａ）はその全体図、（Ｂ）は（Ａ）における円部Ｂの拡大図である。
【図５】（Ａ）は変形例を説明する拡大断面図であり、（Ｂ）は別の変形例を説明する拡大断面図である。
【図６】（Ａ）は比較例のレンズ収納ケースの断面の全体図、（Ｂ）は（Ａ）における円Ｅ部の拡大図である。
【図７】第２実施形態のレンズ収納ケースの断面図である。
【図８】第２実施形態のレンズ収納ケースの構造や機能を説明する断面図であり、（Ａ）はその全体図、（Ｂ）は（Ａ）における円部Ｃの拡大図、（Ｃ）は（Ａ）における円部Ｄの拡大図である。
【図９】比較例のレンズ収納ケースの断面の全体図である。
【発明を実施するための形態】
【００１３】
〔第１実施形態〕
以下、図面を参照しつつ、本発明に係るレンズ収納ケースの第１実施形態について説明する。
【００１４】
図１（Ａ）等に示した光ピックアップレンズ（以下単に、レンズと称する）１０は、射出成形によって形成され、光学機能部１１と、この光学機能部１１の周囲にフランジ部１２とを備えている。光学機能部１１は、平面視円形で、側面視上方の光学面は、曲率半径の小さな凸状を成し、底面の光学面は、比較的平坦な凸状を成している。また、フランジ部１２は、平面視円形又は環状で、側面視矩形状を成している。そして、フランジ部１２の上周縁には、面取り１２ａが施されている。フランジ部１２の外周一部には、射出成形におけるゲート部が切除された跡である面状のゲートカット部１２ｂが形成されている。
【００１５】
レンズ収納ケース（以下単に、ケースと称する）２０は、上部ケース部分２１と下部ケース部分２２とによって構成され、それらによって内部にレンズ収納空間２３が画成される。
【００１６】
図２に示すように、レンズ１０をケース２０の一端開口２０１からレンズ収納空間２３へ挿入させ、図３に示すように、レンズ収納空間２３内に連続した状態で収納する。ケース２０の端部開口２０１に栓２０３をすれば、レンズ１０の脱落を防止することができる。
【００１７】
図１に戻って、上部ケース部分２１は、光学機能部１１の上部を収容する台形状の上部空間部分２３ａと、フランジ部１２を収容する矩形状の下部空間部分２３ｂとを有している。そして、この上部ケース部分２１には、下部空間部分２３ｂの上部隅に逆面取りを施した隅肉部２４が形成されている。この隅肉部２４は、レンズ１０のフランジ部１２に形成した面取り１２ａに対応した大きさ以下に形成されている。具体的には、隅肉部２４は、フランジ部１２の面取り１２ａと略同一大きさとなっている。
【００１８】
一方、下部ケース部分２２は、その上面でレンズ収納空間２３を画成する底面壁を構成するもので、上面に中央に断面弧状を成し、ケース２０の長手方向に延びるレール２５ａが形成され、また、平坦な上面を有し、内側端が斜面を成す台形状のレール２５ｂ，２５ｂが、レール２５ａの左右にそれぞれ形成されている。なお、中央のレール２５ａの高さは、レール２５ｂの高さよりも僅かに低くなるように設定されている。
【００１９】
そして、上部ケース２１と下部ケース２２とは、印籠結合によって両側部（図面の左右側）で互いに接合され、端部が開口された長尺のレンズ収納空間２３が形成される。
【００２０】
そして、図１（Ａ）に示すように、レンズ１０がケース２０の所定位置、即ち、レンズ１０の軸芯Ｘ１とケース２０のセンターＸ２とが略一致している状態では、図１（Ｂ）に示すように、フランジ部１２のゲートカット部１２ｂの上縁が下部空間部分２３ｂの上面に拘束され、フランジ部１２が下部空間部分２３ｂ内に維持される。
【００２１】
フランジ部１２のゲートカット部１２ｂが下部空間部分２３ｂを画成する側壁２３ｆに対向した状態で、図４（Ａ）に示すように、レンズ１０が右方にずれた場合には、即ち、レンズ１０の軸芯Ｘ１がケース２０のセンターＸ２から右方にずれた場合には、図４（Ｂ）に示すように、フランジ部１２のゲートカット部１２ｂの上縁がケース２０の隅肉部２４に当接し、それ以上の移動が規制される。これによって、光学機能部１１の周面が上部空間部分２３ａの側壁２３ｆに接触することが回避される。
【００２２】
なお、隅肉部２４の逆面取りの大きさは、フランジ部１２のゲートカット部１２ｂが下部空間部分２３ｂを画成する側壁２３ｆに対向した状態にない場合に、その側壁方向へのレンズ１０の移動の邪魔にならないように、フランジ部１２の面取り１２ａの大きさ以下にすることが好ましく、その範囲で、フランジ部１２のゲートカット部１２ｂが下部空間部分２３ｂを画成する側壁２３ｆに対向した状態にある場合に、その側壁方向へのレンズ１０の過度の移動を阻止するために、可及的に大きいことが好ましい。
【００２３】
また、上記実施形態では、隅肉部２４を逆面取りによって形成しているが、図５（Ａ）に示すように隅肉部２４を逆Ｒ面取りによって形成してもよく、図５（Ｂ）に示すように隅肉部２４を多角面によって形成してもよい。
【００２４】
図６（Ａ）及び６（Ｂ）は、第１実施形態のケース２０に類似するが隅肉部２４を設けていない旧来型のケース２００を示している。レンズ１００の中心がレンズ収納空間２０２の幅方向中心に位置している場合には、何ら問題はないが、ゲートカット部１０２がレンズ収納空間２０２の側壁２０２ａ，２０２ｂのうち例えば側壁２０２ａに対向する位置にある場合には、図６（Ａ）に示すように、レンズ１００が側壁２０２ａ方向へ大きく移動する。その場合には、図６（Ｂ）に示すように、レンズ１００の光学機能部１００ａの周面がレンズ収納空間２０２の側壁２０２ｂに接触し、それによって光学機能部１００ａの周面を損傷する虞がある。
【００２５】
〔第２実施形態〕
以下、図面を参照しつつ、本発明に係るレンズ収納ケースの第２実施形態について説明する。
【００２６】
図７、８（Ａ）〜８（Ｃ）等に示した光ピックアップレンズ（以下単に、レンズと称する）３０は、射出成形によって形成され、光学機能部３１と、この光学機能部３１の周囲にフランジ部３３とを備えている。光学機能部３１は、平面視円形で、側面視上方及び下方の光学面は、ともに曲率半径の比較的大きな凸状をなしている。また、フランジ部３３は、平面視円形で、側面視矩形状を成している。そして、上側の光学面と機能部３１とフランジ部３３との境界には、この上側の光学面を囲むように円筒状の突起部３８が形成されている。フランジ部３３の上周縁には、Ｒ面取り３３ａが施されている。フランジ部３３の外周の一部には、射出成形におけるゲート部が切除されたゲートカット部３３ｂが形成されている。
【００２７】
レンズ収納ケース（以下単に、ケースと称する）４０は、上部ケース部分４１と下部ケース部分４２とによって構成され、それらによって内部にレンズ収納空間４３が画成される。
【００２８】
上部ケース部分４１は、光学機能部３１の上部を収容する矩形状の上部空間部分４３ａと、フランジ部３３を収容する矩形状の下部空間部分４３ｂとを有している。そして、この上部ケース部分４１には、下部空間部分４３ｂの上部隅に逆面取りを施した隅肉部４４が形成されている。この隅肉部４４は、レンズ３０のフランジ部３３に形成したＲ面取り３３ａに対応した大きさ以下に形成されている。具体的には、隅肉部４４は、フランジ部３３のＲ面取り３３ａと略同一大きさとなっている。
【００２９】
一方、下部ケース部分４２は、その上面でレンズ収納空間４３を画成する底面壁を構成するもので、上面に中央に断面弧状を成し、ケース４０の長手方向に延びるレール４５ａが形成され、また、平坦な上面を有し、内側端が斜面を成す台形状のレール４５ｂ，４５ｂが、レール４５ａの左右にそれぞれ形成されている。なお、中央のレール４５ａの高さは、レール４５ｂの高さよりも僅かに低くなるように設定されている。
【００３０】
上部ケース４１と下部ケース４２とは、印籠結合によって両側部（図面の左右側）で互いに接合され、端部が開口された長尺のレンズ収納空間４３が形成される。
【００３１】
そして、図７に示すように、レンズ３０がケース４０の所定位置、即ち、レンズ３０の軸芯Ｘ３とケース２０のセンターＸ４とが略一致している状態では、フランジ部３３のゲートカット部３３ｂの上縁が下部空間部分４３ｂの上面に拘束され、フランジ部３３が下部空間部分４３ｂ内に維持される。
【００３２】
フランジ部３３のゲートカット部３３ｂが下部空間部分４３ｂを画成する側壁２３ｆに対向した状態で、図８（Ａ）に示すように、レンズ３０が右方にずれた場合には、即ち、レンズ３０の軸芯Ｘ３がケース４０のセンターＸ４から右方にずれた場合には、図８（Ｃ）に示すように、フランジ部３３のゲートカット部３３ｂの上縁がケース４０の隅肉部４４に当接し、それ以上の移動が規制される。これによって、フランジ部３３におけるゲートカット部３３ｂと反対側のフランジ部３３の上縁（図面左側）が上部空間部分４３ａと下部空間部４３ｂとの会合部に食い込むことが回避される（図８（Ｃ）参照）。
【００３３】
図９は、第２実施形態のケース４０に類似するが隅肉部４４を設けていない旧来型のケース２００を示している。図示のように、レンズ１００が側壁２０２ａ方向に大きく移動した状態で、レンズ１００がフランジ部下端縁を中心として上方に回転されると、反対側のフランジ部１０１の上縁部１０１ａがレンズ収納空間２０２を画成する側壁エッジに食い込んでしまい、レンズ１００をケース２００から取り出すことが困難になる可能性がある。
【００３４】
なお、隅肉部４４の逆Ｒ面取りの大きさは、フランジ部３３のゲートカット部３３ｂが下部空間部分４３ｂを画成する側壁に対向した状態にない場合に、その側壁方向へのレンズ３０の移動の邪魔にならないように、フランジ部３３のＲ面取り３３ａの大きさ以下にすることが好ましく、その範囲で、フランジ部３３のゲートカット部３３ｂが下部空間部分４３ｂを画成する側壁に対向した状態にある場合に、その側壁方向へのレンズ３０の過度の移動を阻止するために、可及的に大きいことが好ましい。
【００３５】
また、上記実施形態では、隅肉部４４を逆Ｒ面取りによって形成しているが、図５（Ａ）と同様に逆面取りよって形成してもよく、図５（Ｂ）と同様に多角面によって形成してもよい。
【００３６】
本発明が適用されるレンズの形状は、フランジ部を備え、そのフランジ部の上縁に面取りが施され、さらに、ゲートカット部が形成されたものならば、用途等に応じて任意に変更が可能である。
【００３７】
ケース２０，４０は、単一のレンズ収納空間２３，４３を設けたものに限らず、複数列の同一形状のレンズ収納空間を設けたものとできる。
【符号の説明】
【００３８】
１０…レンズ、  １１…光学機能部、  １２…フランジ部、  １２ａ…面取り、  １２ｂ…ゲートカット部、  ２０…レンズ収納ケース、  ２１…上部ケース部分、  ２２…下部ケース部分、  ２３…レンズ収納空間、  ２３ａ…上部空間部分、  ２３ｂ…下部空間部分、  ２４…隅肉部、  ２５ａ，２５ｂ…レール、  ３０…レンズ、  ３１…光学機能部、  ３８…突起部、  ３３…フランジ部、  ３３ａ…面取り、  ３３ｂ…ゲートカット部、  ４０…レンズ収納ケース、  ４１…上部ケース部分、  ４２…下部ケース部分、  ４３…レンズ収納空間、  ４３ａ…上部空間部分、  ４３ｂ…下部空間部分、  ４４…隅肉部、  ４５ａ，４５ｂ…レール
【図１】
2013173549.tif 000003
【図２】
2013173549.tif 000004
【図３】
2013173549.tif 000005
【図４】
2013173549.tif 000006
【図５】
2013173549.tif 000007
【図６】
2013173549.tif 000008
【図７】
2013173549.tif 000009
【図８】
2013173549.tif 000010
【図９】
2013173549.tif 000011